(57)【要約】【課題】摺動させることによってロックが外れ蓋が回動自在になり、蓋を回動することによって開くことができる長寿命の蓋機構を、簡単な構成で提供すること。【解決手段】本体には、シャフト近傍に設けられ且つ長孔の外側平坦部に接し長孔の一端にシャフトが位置しない状態で蓋体の回動を制限する制限部と、長孔の前記一端にシャフトが位置する状態となるように蓋体を摺動する方向とは逆向きに制限部より延び、且つ長孔より遠ざかる方向に傾斜した傾斜面を有する傾斜部と、が設けられ、蓋体の長孔の一端の外側には、長孔の一端にシャフトが位置する状態でのシャフト軸が位置する側を内側とする曲面が形成され、傾斜部と曲面は、長孔の前記一端にシャフトが位置しない状態で蓋体を回動させると接触する位置関係にあるようにした。【選択図】図１１
2005289479.tif 000002
【特許請求の範囲】
【請求項１】
本体と、本体に設けられたシャフト対して長孔を介して摺動可能に設けられ且つ長孔の一端にシャフトが位置する状態で全回動可能な蓋体を有する蓋体とから成る蓋機構において、
本体には、前記シャフト近傍に設けられ且つ前記長孔の外側平坦部に接し長孔の前記一端にシャフトが位置しない状態で蓋体の回動を制限する制限部と、長孔の前記一端にシャフトが位置する状態となるように蓋体を摺動する方向とは逆向きに前記制限部より延び、且つ前記長孔より遠ざかる方向に傾斜した傾斜面を有する傾斜部と、が設けられ、
蓋体の長孔の前記一端の外側には、長孔の前記一端にシャフトが位置する状態でのシャフト軸が位置する側を内側とする曲面が形成され、
前記傾斜部と前記曲面は、長孔の前記一端にシャフトが位置しない状態で蓋体を回動させると接触する位置関係にあることを特徴とする蓋機構。
【請求項２】
前記本体はデジタルカメラであり、前記蓋体はデジタルカメラの電池収納部を覆う電池蓋であることを特徴とする請求項１記載の蓋機構。
【発明の詳細な説明】
【技術分野】
【０００１】
本発明は、蓋機構に関し、特に本体と、本体に設けられたシャフト対して長孔を介して摺動可能に設けられ且つ長孔の一端にシャフトが位置する状態で全回動可能な蓋体を有する蓋体とから成る蓋機構に関する。
【背景技術】
【０００２】
摺動させることによってロックが外れ蓋が回動自在になり、蓋を回動することによって開くことができる蓋機構（特許文献１参照）が提案されている。
【特許文献１】特開平８−３２９９１８号公報
【発明の開示】
【発明が解決しようとする課題】
【０００３】
特許文献１に開示された蓋機構では、電池蓋は、ヒンジピンがスライド溝に沿った両側２つの位置でクリック感をもってスライド位置に止められるようにするために、スライド溝にヒンジピンが止まる窪みを設けている。電池蓋がヒンジピンに対して位置決めされるのは、電池蓋を回動させる際に支障を来さないように、すなわち摺動させることによって外れるロック機構や電池蓋そのものが破損しないようにするためである。
【０００４】
しかしながら、特許文献１に開示された蓋機構では、クリック感をもってスライド位置に止められるようにするために設けられたスライド溝の窪みは、蓋の開閉をする度に磨耗するため、製品寿命が短いという欠点を有していた。
【０００５】
本発明は、摺動させることによってロックが外れ蓋が回動自在になり、蓋を回動することによって開くことができる長寿命の蓋機構を、簡単な構成で提供することを目的とする。
【課題を解決するための手段】
【０００６】
本発明は上記課題を解決するために、本体と、本体に設けられたシャフト対して長孔を介して摺動可能に設けられ且つ長孔の一端にシャフトが位置する状態で全回動可能な蓋体を有する蓋体とから成る蓋機構において、本体には、前記シャフト近傍に設けられ且つ前記長孔の外側平坦部に接し長孔の前記一端にシャフトが位置しない状態で蓋体の回動を制限する制限部と、長孔の前記一端にシャフトが位置する状態となるように蓋体を摺動する方向とは逆向きに前記制限部より延び、且つ前記長孔より遠ざかる方向に傾斜した傾斜面を有する傾斜部と、が設けられ、蓋体の長孔の前記一端の外側には、長孔の前記一端にシャフトが位置する状態でのシャフト軸が位置する側を内側とする曲面が形成され、前記傾斜部と前記曲面は、長孔の前記一端にシャフトが位置しない状態で蓋体を回動させると接触する位置関係にあるようにした。
【発明の効果】
【０００７】
長孔の一端にシャフトが位置しない状態で蓋体を回動させることによって傾斜部と曲面と順次接し、長孔の一端とシャフトとの距離が小さくなる方向に蓋体に力が加わるので、蓋体は長孔の一端にシャフトが位置する状態に導かれる。すなわち、長孔の一端にシャフトが位置しない状態で蓋体を回動させても蓋体や本体を破損させることがない。よって、摺動させることによってロックが外れ蓋が回動自在になり、蓋を回動することによって開くことができる長寿命の蓋機構を、簡単な構成で提供することができる。
【発明を実施するための最良の形態】
【０００８】
以下、本発明をデジタルカメラの電池蓋に実施した形態につき、図面に沿って具体的に説明する。
本発明の実施の形態であるデジタルカメラ本体１は、図１に示す如く、レリーズボタン２、光学ビューファインダー３、光学レンズ４、電池蓋５を有している。詳細な構造は後述するが、電池蓋５は、矢印Ａの方向に摺動させた後に矢印Ｂの方向に回動させることにより開くことができる。
【０００９】
図２は電池蓋５の断面図であり、図３は電池蓋５を電池収納部側から見た平面図である。図４はデジタルカメラ本体１の電池収納部近傍を示した平面図であり、図５はその断面図である。
【００１０】
電池蓋５には、本体１の軸受け部１ａ、１ｂに設けられたシャフト６が挿入される長孔５ｂ、５ｄが形成された回動支持部５ａ、５ｃと、先端が本体１に設けられた凹部１ｅ、１ｆに係合することによって電池蓋５の摺動を規制する摺動規制部５ｅ、５ｆと、本体１に設けられた係合部１ｇ、１ｈに係合することによって電池蓋５の回動を規制する回動規制部５ｇ、５ｈが設けられ、収納される電池（図示省略）の電極と接する端子板７が取り付けられている。なお、回動支持部５ａ、５ｃは、夫々曲面５ｍ、５ｎを有しているが、詳細は後述する。
【００１１】
一方本体１の電池収納部１ｊの近傍には、軸受け部１ａ、１ｂに設けられたシャフト６に平行して制限部１ｋが設けられ、制限部より延びて傾斜部１ｍ、１ｎが設けられている。制限部１ｋ及び傾斜部１ｍ、１ｎの機能については後述する。
【００１２】
図６は電池蓋５が閉じた状態を示した断面図であり、図７は電池蓋５を摺動させて長孔の一端にシャフトが位置した状態を示した断面図である。図６の状態では、電池蓋５の摺動規制部５ｆが本体１に設けられた凹部１ｆと係合することによって電池蓋５の摺動が規制され、電池蓋５の回動規制部5ｈが本体１に設けられた係合部１ｈに係合することによって電池蓋５の回動が規制されている。なお、断面図であるために図示はされていないが、電池蓋５の摺動規制部５ｅが本体１に設けられた凹部１ｅと係合することによって電池蓋５の摺動が規制され、電池蓋５の回動規制部５ｇが本体１に設けられた係合部１ｇに係合することによって電池蓋５の回動が規制されている。
【００１３】
そして矢印Ｃの方向に電池蓋５を摺動させることによって、摺動規制部５ｅ、５ｆと凹部１ｅ、１ｆとの係合が夫々外れると共に、回動規制部５ｇ、５ｈと係合部１ｇ、１ｈとの係合が夫々外れ、電池蓋５の回動が可能となる。なお、本体１に設けられた制限部１ｋは電池蓋５の回動支持部５ａ、５ｃに接することによって電池蓋５の摺動を案内すると共に、電池蓋５が長孔５ｂ、５ｄの一端にシャフト６が位置しする状態以外での回動を制限している。
【００１４】
図７に示した状態から矢印Ｄ方向に電池蓋５を回動させると図８に示すように電池蓋５が開く。なお、シャフト６の周囲にコイルバネを設け、本体１に対し電池蓋５を図７に示した矢印Ｄの回動方向に付勢することにより、回動規制部５ｇ、５ｈと係合部１ｇ、１ｈとの係合が外れた際に、電池蓋５が該コイルバネの力によって開くようにしてもよい。
【００１５】
以上は、電池蓋５の正常な開く動作を説明したが、図９に示すように、回動規制部５ｇ、５ｈと係合部１ｇ、１ｈとの係合は夫々外れているが、電池蓋５が長孔５ｂ、５ｄの一端にシャフト６が位置した状態にない状態で無理に回動させようとすると、図１０に示すような状態となる。この状態では、本体１に設けられた制限部１ｋは電池蓋５の回動支持部５ａ、５ｃに接することによって回動が制限されているため、制限部１ｋと回動支持部５ａ、５ｃだけでは制限部１ｋ又は回動支持部５ａ、５ｃを破損してしまう。
【００１６】
しかしながら、本体１には制限部１ｋより延びて傾斜部１ｍ、１ｎが設けられ、電池蓋５の長孔５ｂ、５ｄの一端の外側には、長孔５ｂ、５ｄの一端にシャフト６が位置する状態でのシャフト６の軸が位置する側を内側とする曲面５ｍ、５ｎが形成されているため、長孔５ｂ、５ｄの一端にシャフト６が位置しない状態で電池蓋５を回動させることによって、図１１に示すように傾斜部１ｍ、１ｎと曲面５ｍ、５ｎとが夫々曲面での接する位置を徐々に変えながら順次接することによって、長孔５ｂ、５ｄとシャフト６が作用し、長孔５ｂ、５ｄの一端とシャフト６との距離が小さくなる方向（矢印Ｅ）に電池蓋５に力が加わるので、長孔５ｂ、５ｄの一端にシャフト６が位置する状態に導かれる。そして、図７に示した状態から矢印Ｄ方向に電池蓋５を回動させた場合と同様に、最終的には図８に示すように電池蓋５が開く。すなわち、長孔５ｂ、５ｄの一端にシャフト６が位置しない状態で電池蓋５を回動させても電池蓋５や本体１を破損させることがない。
【００１７】
なお、上述の図９、図１０を用いての動作説明において、符号を用いて説明したが、図９、図１０は断面図であるため、回動支持部５ａ、長孔５ｂ、回動規制部５ｇ、係合部１ｇ、曲面５ｍは図示されていない。
【図面の簡単な説明】
【００１８】
【図１】本発明の実施例であるデジタルカメラを示した斜視図である。
【図２】実施例の要部を示す断面図である。
【図３】実施例の要部を示す平面図である。
【図４】実施例の要部を示す平面図である。
【図５】実施例の要部を示す断面図である。
【図６】実施例の動作を示す断面図である。
【図７】実施例の動作を示す断面図である。
【図８】実施例の動作を示す断面図である。
【図９】実施例の動作を示す断面図である。
【図１０】実施例の動作を示す断面図である。
【図１１】実施例の動作を示す断面図である。
【符号の説明】
【００１９】
１    デジタルカメラ
１ｊ  電池収納部
１ｋ  制限部
１ｍ、１ｎ  傾斜部
５    電池蓋
５ａ、５ｃ  回動支持部
５ｂ、５ｄ  長孔
５ｍ、５ｎ  曲面
６    シャフト
【図１】
2005289479.tif 000003
【図２】
2005289479.tif 000004
【図３】
2005289479.tif 000005
【図４】
2005289479.tif 000006
【図５】
2005289479.tif 000007
【図６】
2005289479.tif 000008
【図７】
2005289479.tif 000009
【図８】
2005289479.tif 000010
【図９】
2005289479.tif 000011
【図１０】
2005289479.tif 000012
【図１１】
2005289479.tif 000013